(57)【特許請求の範囲】
【請求項１】
ランプを調光する動作している調光器の存在を検出する検出回路であって、
前記ランプのための場合によっては調光されている供給信号を担持する結合におけるインピーダンスを測定する、及び第１の出力信号を供給する第１の回路であって、前記第１の出力信号は測定された前記インピーダンスを規定しており、前記結合は、本線又は前記本線と前記動作している調光器との組合せに接続され、前記測定されたインピーダンスは、本線周波数より大きい周波数に関して測定されたインピーダンスを有する、第１の回路と、
前記第１の出力信号を分析する及び前記動作している調光器が存在するか否かを規定する第２の出力信号を供給する第２の回路と、
を有し、
前記測定されたインピーダンスは、前記動作している調光器が存在する場合、前記動作している調光器のインピーダンスを有し、前記第２の回路は、前記測定されたインピーダンスが変化を示すと前記動作している調光器が存在することを規定する前記第２の出力信号を供給する、検出回路。
【請求項２】
前記第１の回路は、時間間隔当たり何回か前記インピーダンスを測定し、前記時間間隔内の或る最小の偏差以上の前記測定されたインピーダンスの少なくとも１つの変化が前記動作している調光器の存在を示している、請求項１に記載の検出回路。
【請求項３】
前記第２の回路は、
前記第１の出力信号をフィルタリングするフィルタと、
フィルタリングされた前記第１の出力信号を平均する平均回路と、
平均されフィルタリングされた前記第１の出力信号に応答して閾値を供給する閾値回路と、
前記フィルタリングされた第１の出力信号を前記閾値と比較する比較器と、
前記比較器からの比較結果に応答して前記第２の出力信号を生成するコントローラと、
を有する請求項１に記載の検出回路。
【請求項４】
前記閾値は第１の及び第２の閾値を有しており、前記比較器は、前記フィルタリングされた第１の出力信号を前記第１及び第２の閾値と比較し、前記コントローラは、前記比較器からの第１及び第２の比較結果に応答して前記第２の出力信号を生成するように配されている、請求項３に記載の検出回路。
【請求項５】
前記コントローラは、更に前記第１の出力信号、前記フィルタリングされた第１の出力信号及び／若しくは平均されフィルタリングされた前記第１の出力信号に応答して、前記第２の出力信号を生成する、並びに／又は前記第２の出力信号は、前記動作している調光器が存在する場合、前記動作している調光器の１つ以上の特性を更に規定する、請求項３に記載の検出回路。
【請求項６】
前記第１の回路は、
前記結合に接続されている第１の入力と、
前記周波数における信号を生成する生成器に接続されている第２の入力と、
前記第１の出力信号又はフィルタリングされた第１の出力信号を供給するための出力と、
を有する、請求項１に記載の検出回路。
【請求項７】
前記第１の回路は、更にトランスを有し、一次巻線は前記第１の入力に結合されており、二次巻線は前記第２の入力に結合されており、前記二次巻線は、前記出力に結合されているネットワークに更に結合されている、請求項６に記載の検出回路。
【請求項８】
前記結合は、電力コンバータを介して前記ランプに接続されている、請求項１に記載の検出回路。
【請求項９】
前記電力コンバータのスイッチング周波数は、前記第１の出力信号及び／又は前記第２の出力信号の質を改善するのに適応化可能なスイッチング周波数である、請求項８に記載の検出回路。
【請求項１０】
前記電力コンバータのフィルタは、前記第１の出力信号及び／又は前記第２の出力信号の質を改善するのに適応可能なフィルタである、請求項８に記載の検出回路。
【請求項１１】
請求項１乃至１０の何れか一項に記載の検出回路を有すると共に、フィルタ、電力コンバータ及び／又は前記ランプとを更に有する装置。
【請求項１２】
請求項１乃至１０の何れか一項に記載の検出回路を有すると共に、少なくとも１つの発光ダイオードを有する前記ランプを更に有する装置。
【請求項１３】
請求項１乃至１０の何れか一項に記載の検出回路から前記第２の出力信号を受け取るための入力を有している装置。
【請求項１４】
フィルタ、電力コンバータ及び／又は前記ランプを更に有する、請求項１３に記載の装置。
【請求項１５】
ランプを調光する動作している調光器の存在を検出する方法であって、
前記ランプのための場合によっては調光されている供給信号を担持するように配されている結合におけるインピーダンスを測定する、及び測定結果を供給するステップであって、前記結合は、本線又は前記本線と前記動作している調光器との組合せに接続され、前記測定結果は、測定された前記インピーダンスを規定し、前記測定されたインピーダンスは、本線周波数よりも大きい周波数に関して測定されたインピーダンスを有している、ステップと、
第１の結果を分析し、前記動作している調光器が存在するか否かを規定する分析結果を供給するステップであって、前記分析結果は、前記測定されたインピーダンスが変化を示すと前記動作している調光器が存在することを規定している、ステップと、
を有する方法。
【発明の詳細な説明】
【技術分野】
【０００１】
本発明は、ランプを調光するように配されている動作している調光器の存在を検出する検出回路に関する。本発明は、更に、装置及び方法に関する。
【背景技術】
【０００２】
このような装置の例は、動作している調光器の存在を検出する検出回路を有する又は前記検出回路からの情報を受け取るための入力を有するランプ、フィルタ及び電力コンバータである。
【発明の概要】
【発明が解決しようとする課題】
【０００３】
ランプを調光するように配されている動作している調光器の存在を検出する既存の検出回路は、前記本線と前記ランプとの間の電圧レベルを検出し、前記検出電圧レベルに基づいて決定をしている。これらの決定は、比較的信頼できない。
【０００４】
本発明の目的は、改善された検出回路を提供することにある。このような改善された検出回路は、比較的信頼性が高い決定をする。本発明の更なる目的は、改善された装置、改善されたランプ、改善された電力コンバータ、及び改善された方法を提供することにある。
【課題を解決するための手段】
【０００５】
第１の見地によれば、検出回路が、ランプを調光するように配されている動作している調光器の存在を検出するため設けられ、
前記検出回路は、
−  前記ランプのための場合によっては調光されている供給信号を担持するように配されている結合におけるインピーダンスを測定する、及び第１の出力信号を供給する第１の回路であって、前記第１の出力信号は測定された前記インピーダンスを規定しており、前記測定されたインピーダンスは、本線周波数より大きい周波数におけるインピーダンスを有する、第１の回路と、
−  前記第１の出力信号を分析する及び前記動作している調光器が存在するか否かを規定する前記第２の出力信号を供給する第２の回路と、
を有する。
【０００６】
前記結合の一方の側は、例えば、場合によっては調光器を介して、前記本線に結合されている。前記結合の他方の側は、場合によっては電力コンバータ又は他のユニットを介して、前記ランプに結合されている。前記結合は、前記調光器が存在し動作している場合、前記ランプへの調光された供給信号を担持する。前記結合は、前記調光器が調光をせずに存在している場合、前記調光器がブリッジされている場合又は調光器が存在しない場合、前記ランプへの調光されていない供給信号を担持している。前記第１の回路は、前記結合における前記インピーダンスを決定し、前記第１の出力信号を供給する。前記インピーダンスは、例えば、２つの導体結合の前記導体間、１つの導体結合の１つの導体と接地との間、又は前記ランプ、前記電力コンバータ若しくは前記他のユニット（前記結合等に接続されている場合）の端子間において測定される。前記測定されたインピーダンスは、前記本線周波数よりも大きい周波数におけるインピーダンスである。前記第１の出力信号は、より正確な仕方又はあまり正確ではない仕方において及び絶対的な仕方又は相対的な仕方等において、この測定されたインピーダンスを規定する。前記第２の回路は、前記第１の出力信号を分析し、前記第２の出力信号を供給する。前記第２の出力信号は、前記動作している調光器が存在するか否かを規定する。
【０００７】
結果として、改善された検出回路が提供される。このような改善された検出回路は、比較的信頼性が高い決定をする。これらの決定は、前記測定されたインピーダンスが、周波数値から独立に検出される従来技術の電圧レベルよりも信頼性が高い値であるよと思われる事実のために、比較的信頼性が高い。
【０００８】
前記インピーダンスは、１つの固定された周波数若しくは１つの可変周波数、（例えば、周波数帯域内の）複数の周波数、基本周波数及び高調波等において決定されることができる。
【０００９】
前記検出回路の実施例は、時間間隔当たり何回か前記インピーダンスを測定するように配されている前記第１の回路により規定され、前記時間間隔内の或る最小の偏差以上の前記測定されたインピーダンスにおける少なくとも１つの変化が、前記動作している調光器の存在を示している。前記時間間隔は、例えば、５０Ｈｚにおける１０ミリ秒、６０Ｈｚにおける８．４ミリ秒又はこれらの全サイクル若しくは複数のサイクルのような、前記本線の半サイクルである。前記或る最小の偏差は、例えば、現実の平均値の或る最小の変化、計算された平均値の或る最小の変化、又は他の値の或る最小の変化等である。好ましくは、少なくとも２つの変化が前記動作している調光器の存在を示すものであることができ、例えば、第１のインピーダンス値から第２のインピーダンス値への第１の変化及び前記第２のインピーダンス値から前記第１のインピーダンス値への第２の変化である。各移行の間、この第１の値及び第２の値と異なる何らかの値が発生し得て、前記移行の終わりにおいて設定に到達する。
【００１０】
前記検出回路の実施例は、
−  前記第１の出力信号をフィルタリングするフィルタと、
−  フィルタリングされた前記前記第１の出力信号を平均する平均回路と、
−  平均されフィルタリングされた前記第１の出力信号に応答して閾値を供給する閾値回路と、
−  前記フィルタリングされた第１の出力信号を前記閾値と比較する比較器と、
−  前記比較器からの比較結果に応答して前記第２の出力信号を生成するコントローラと、
を有する前記第２の回路により規定される。
【００１１】
前記フィルタは、（非常に）高い及び（非常に）低い周波数をフィルタリングする。前記平均回路は、如何なる種類の平均値も決定する。前記閾値回路は、例えば、平均値から前記最小の変化を減算したもの又は平均値に前記最小の変化を加算したもののような、閾値を供給する。前記比較器は、前記フィルタリングされた第１の出力信号を前記閾値と比較し、前記フィルタリングされた第１の出力信号の値がそれぞれ前記閾値よりも小さい又は大きいか否かを前記コントローラに知らせる。前記コントローラは、この情報を処理し前記第２の出力信号を生成する。
【００１２】
前記検出回路の実施例は、第１の閾値及び第２の閾値を有する前記閾値、前記フィルタリングされた第１の出力信号を前記第１の閾値及び前記第２の閾値と比較するように配されている前記比較器、及び前記比較器からの第１及び第２の比較結果に応答して前記第２の出力信号を生成するように配されている前記コントローラにより規定される。前記閾値回路は、第１の閾値（例えば、前記平均値に前記最小の変化を加算したもの）を供給すると共に、第２の閾値（例えば、前記平均値から前記最小の変化を減算したもの）を供給する。前記比較器は、前記フィルタリングされた第１の出力信号を前記閾値と比較し、前記コントローラは、前記フィルタリングされた第１の出力信号の値が前記第１の閾値よりも大きい若しくは前記第２の閾値より小さい、又はこれらの間にあることを知らせる。前記コントローラは、この情報を処理し、前記第２の出力信号を生成する。
【００１３】
前記検出回路の実施例が規定され、前記コントローラは、更に前記第１の出力信号、前記フィルタリングされた第１の出力信号及び／又は前記平均され及びフィルタリングされた第１の出力信号に応答して前記第２の出力信号を生成するように配されている、及び／又は、前記第２の出力信号は、前記動作している調光器が存在する場合、前記動作している調光器の１つ以上の特性を更に規定している。このような特性は、前縁調光器及び後縁調光器を区別するために前縁及び後縁であっても良く、調光器等を識別するための識別であっても良い。これらの特性は、前記測定されたインピーダンスが変化している仕方（線形に、非線形に、比較的急な傾斜によって、比較的急ではない傾斜によって、増加している変化によって、減少している変化によって等）から得られる。
【００１４】
上述の実施例に関して、前記インピーダンスは、例えば、インピーダンス測定ユニットを有する前記第１の回路により測定される。前記インピーダンス測定ユニットは、前記周波数において電圧信号を生成し、これを前記結合に付加し、次いで、前記電圧信号から得られる前記周波数の電流信号を検出し、次いで、例えば、前記電流によって電圧信号を除算することによって、検出結果を前記インピーダンスに変換する。代替的には、前記インピーダンスは、例えば、フィルタ及び検出器を有する前記第１の回路により測定され、これにより前記フィルタは、選択された範囲外の前記供給（電圧）信号の全ての他の周波数成分をフィルタリングし、前記検出器は、前記本線周波数よりも大きい前記周波数において選択された範囲の前記供給（電圧）信号の前記周波数成分を検出する。前記最後の場合は、前記動作している調光器は、多くの異なる周波数における前記インピーダンスが変化するように、通常、前記供給信号を変化させているという仮定に基づいている。専用の周波数又は周波数の範囲が当該決定に使用され、他の周波数は、フィルタリングされるべきである。
【００１５】
このようなインピーダンス測定ユニットは、比較的複雑で比較的高い費用がかかるものであり得て、未知の従って予測不可能な調光器により生成される多くの異なる周波数成分からの１つの使用は、ときどき理想的な解決案ではないことがある。以下の実施例は、これに対して改善された解決案を提供している。
【００１６】
当該検出回路の実施例は、
−  前記結合に接続されている第１の入力と、
−  前記周波数における信号を生成するように配されている生成器に接続されている第２の入力と、
−  前記第１の出力信号又はフィルタリングされた第１の出力信号を供給するための出力と、
を有する前記第１の回路により規定される。
【００１７】
この実施例によれば、前記周波数における前記信号は、前記インピーダンスを決定するのに生成され使用される。この場合、前記信号は電圧信号であっても良く、前記（フィルタリングされた）第１の出力信号は（フィルタリングされた）第１の出力電圧信号であっても良い。この（フィルタリングされた）第１の出力電圧信号は前記測定されたインピーダンスを表しており、前記従来技術に従って検出されるような前記電圧レベルと混同されないはずである。これらの従来技術で検出される電圧レベルは、前記本線周波数よりも大きい前記周波数において前記測定されたインピーダンスに関連していない。
【００１８】
前記検出回路の実施例は、トランスを有する前記第１の回路であって、一次巻線は前記第１の入力に結合されており、二次巻線は前記第２の入力に結合されており、前記二次巻線は、前記出力に結合されているネットワークに更に結合されている前記第１の回路により規定される。
【００１９】
前記トランスは、電気的絶縁を提供し、前記高周波インピーダンスが前記ネットワーク（の一部）を介して決定されることができるように前記高周波信号及び前記結合を組み合わせる。電気的絶縁が必要とされない場合、前記トランスは回避されても良い。
【００２０】
好ましくは、前記検出回路は、更に、第１のコンデンサを介して前記第１の入力の端子に結合されている前記一次巻線と、第１の抵抗器、第２のコンデンサ及びバッファの第１の直列接続を介して前記第２の入力の端子に結合されている前記二次巻線と、第２の抵抗器及び第３のコンデンサの第２の直列接続を有する前記ネットワークであって、前記第２の直列接続は、前記二次巻線と並列に結合されているネットワークと、前記第３のコンデンサと並列に結合されている前記出力の端子とにより規定されている。これは、例えば試験目的に使用されることができる低い費用の単純で堅牢な実施例である。
【００２１】
前記検出回路の実施例は、電力コンバータを介して前記ランプに接続されるように配されている前記結合により規定される。この実施例は、付加的な生成器を必要としないが、既存の電力コンバータ（切替えられたモード電力供給としても知られる）を使用する。前記本線周波数よりも大きい前記周波数は、例えば、前記電力コンバータのスイッチング周波数に等しく選択されることができる。
【００２２】
前記検出回路の実施例は、前記第１の出力信号及び／又は前記第２の出力信号の質を改善するために適合可能なスイッチング周波数である前記電力コンバータのスイッチング周波数により規定される。前記電力コンバータの前記スイッチング周波数を適応化することによって、場合によっては存在する電磁干渉フィルタの影響は、電磁干渉フィルタが通常１つの特定のスイッチング周波数を抑制するように設計されているという事実により、低減される。前記インピーダンスは、前記本線周波数より大きい全く同一の周波数に関して又は時間間隔当たりの前記本線周波数より各々大きい異なる周波数に関して測定されることができる。
【００２３】
前記検出回路の実施例は、前記第１の出力信号及び／又は前記第２の出力信号の質を改善するのに適応可能なフィルタである前記電力コンバータのフィルタにより規定される。このように、存在する前記フィルタの影響は低減されることができる。前記フィルタは、前記電力コンバータ内部又は外部に位置されることができる。
【００２４】
第２の見地によれば、上述に規定するような前記検出回路を有すると共に、フィルタ、電力コンバータ及び／又は前記ランプを更に有する装置が提供される。
【００２５】
第３の見地によれば、上述に規定するような前記検出回路を有すると共に、少なくとも１つの発光ダイオードを有するランプを更に有する装置が提供される。
【００２６】
第４の見地によれば、上述した前記検出回路から前記第２の出力信号を受け取るための入力を有する装置が、提供される。前記第２の出力信号を介して、情報は、前記情報に応答して前記装置を調整するために前記検出回路から前記装置に供給される。
【００２７】
実施例によれば、当該装置は、フィルタ、電力コンバータ及び／又は前記ランプを更に有することにより規定される。好ましくは、前記フィルタ、前記電力コンバータ及び／又は前記ランプは、前記第２の出力信号に応答して調整されることができる。
【００２８】
第５の見地によれば、ランプを調光するように配されている動作している調光器の存在を検出する方法であって、
−  前記ランプのための場合によっては調光されている供給信号を担持するように配されている結合におけるインピーダンスを測定する、及び測定結果を供給するステップであって、前記測定結果は、測定された前記インピーダンスを規定し、前記測定されたインピーダンスは本線周波数よりも大きい周波数におけるインピーダンスを有している、ステップと、
−  前記第１の結果を分析し前記動作している調光器が存在するか否かを規定する分析結果を供給するステップと、
を有する方法が、提供される。
【００２９】
洞察は、調光器が電力部及び制御部の並列配置として注目されることができるということにある。前記電力部は、「開く」又は「閉じる」の何れかであるスイッチを有する。一般に、前記制御部におけるあり得る電流の振幅（例えば１ｍＡ−１００ｍＡ）は、前記電力部のあり得る電流の振幅（例えば＞１０００ｍＡ）よりも著しく低い。更に、前記電力部は、前記調光器の損失を最小化するように低いドロップアウト電圧に関して設計されている。対照的に、前記制御部は、限定された電流を担持するように設計され、著しい電圧降下が調光器の端子間に存在する。即ち、前記電力部の前記インピーダンスは（非常に）低い又は（非常に）高いかの何れであっても良いのに対し、前記制御部の前記インピーダンスは中間と（非常に）高いものとの間のどこかにあり得る。そして、前記調光器の前記インピーダンスは、前記本線の前記インピーダンスと直列に位置される。
【００３０】
基本的な着想は、前記検出回路は、一方では、前記本線（及び存在し得る調光器）間のインピーダンスを測定しなければならず、他方では、前記ランプは、動作している調光器が存在するか否かを見出すために測定結果を分析しなければならないということにある。
【００３１】
改善された検出回路を提供する問題は、解決された。更なる有利な点は、前記検出結果が前記ランプの及び／又は前記電力コンバータの動作を改善するのに使用されることができることにある。
【００３２】
本発明のこれら及び他の見地は、以下に記載される実施例を参照して明らかになり説明されるであろう。
【図面の簡単な説明】
【００３３】
【図１】第１の回路及び第２の回路を有する検出回路の一実施例を示している。
【図２】第１の回路の実施例を示している。
【図３】電力コンバータ及びフィルタと組み合わされている当該検出回路を示している。
【図４】周波数に対するフィルタの減衰を示している。
【図５】調光器がない場合の周波数におけるインピーダンス値を示している。
【図６】調光器が存在するがオフに切替えられている場合の周波数におけるインピーダンス値を示している。
【図７】周波数におけるインピーダンス値であって、第１の調光器が存在しているという事実により変化するインピーダンス値を示している。
【図８】周波数におけるインピーダンス値であって、第２の調光器が存在しているという事実により変化するインピーダンス値を示している。
【発明を実施するための形態】
【００３４】
図１には、第１の回路１及び第２の回路２を有する検出回路１、２の実施例が示されている。
ここで２つの導体を有する結合１２は、前記本線又は前記本線と調光器との組合せを表しているユニット１１に接続されていると共に、電力コンバータ１３を介してランプ１４に接続されている。代替的には、結合１２は一方の導体を有しており、他方の導体は接地されていても良い。代替的には、電力コンバータ１３は、外に残されることもできる。しかしながら、ランプ１４が、如何なる種類の及び如何なる組合せにおける１つ以上の発光ダイオードを有する場合でも、電力コンバータ１３は、通常、存在する。
【００３５】
検出回路１、２は、結合１２におけるインピーダンスを測定するために結合１２に接続されている第１の回路１を有する。結合１２は、ランプ１４のための場合によっては調光された供給信号を担持するように配されている。第１の回路１は、第１の出力信号を第２の回路２に供給する。この第１の出力信号は、測定されたインピーダンスを規定している。第２の回路２は、前記第１の出力信号を分析し、第２の出力信号を供給する。この第２の出力信号は、当該動作している調光器が存在するか否かを規定する。
【００３６】
前記インピーダンスは、５０Ｈｚ又は６０Ｈｚの本線周波数よりも大きい周波数におけるインピーダンスである。この測定されたインピーダンスは、ユニット１１のインピーダンスとユニット１４又は１３＋１４のインピーダンスとの並列接続であるが、結合１２自体のインピーダンスを除外している。ユニット１１が動作している調光器を有する場合、ユニット１１のインピーダンスは比較的大きい変化を示し、第１の回路１を介して測定されることができる。
【００３７】
第１の回路１は、時間間隔当たり数回、前記インピーダンスを測定する。前記時間間隔内の或る最小の偏差以上の高周波インピーダンスの少なくとも１つの変化が、前記動作している調光器の前記存在のために示される。この時間間隔は、例えば、５０Ｈｚにおける１０ミリ秒若しくは６０Ｈｚにおける８．４ミリ秒のような本線の半サイクル、又はこれらの全サイクル又は複数倍等である。或る最小の偏差とは、例えば、現実の平均値の或る最小の変化、又は計算された平均値の或る最小の変化又は他の値のある最小の変化等である。
【００３８】
第２の回路２は、前記第１の出力信号をフィルタリングするフィルタ２１、フィルタリングされた第１の出力信号を平均する平均回路２２、及び平均されフィルタリングされた前記第１の出力信号に応答して閾値を供給する閾値回路２３を有する。第２の回路２は、更に、前記フィルタリングされた第１の出力信号を前記閾値と比較する比較器２４、及び比較器２４からの比較結果に応答して前記第２の出力信号を生成するコントローラ２５を有する。フィルタ２１は、（非常に）高い及び（非常に）低い周波数をフィルタリングする。平均回路２２は、如何なる種類の平均値も決定する。閾値回路２３は、例えば、平均値から前記最小の変化を減算したもの又は平均値に前記最小の変化を加算したもののような、閾値をそれぞれ供給する。比較器２４は、前記フィルタリングされた第１の出力信号を前記閾値と比較し、前記フィルタリングされた第１の出力信号の値がそれぞれ前記閾値よりも相対的に小さい又は大きいかコントローラ２５に知らせる。コントローラ２５は、この情報を処理し前記第２の出力信号を生成する。
【００３９】
好ましくは、閾値回路２３は、例えば前記平均値に前記最小の変化を加算したもののような、第１の閾値を供給すると共に、例えば前記平均値から前記最小の変化を減算したもののような、第２の閾値を供給する。比較器２４は、前記フィルタリングされた第１の出力信号を前記閾値と比較し、コントローラ２５は、前記フィルタリングされた第１の出力信号の値が前記第１の閾値よりも大きい若しくは前記第２の閾値より小さい、又はこれらの間にあることを知らせる。コントローラ２５は、この情報を処理し前記第２の出力信号を生成する。
【００４０】
好ましくは、コントローラ２５は、前記第２の出力信号を生成するために、前記第１の出力信号、前記フィルタリングされた第１の出力信号、及び／又は前記平均されフィルタリングされた第１の出力信号を使用することができる。更に、コントローラ２５は、当該測定に適応している第１の回路１、フィルタリングに適応しているフィルタ２１、平均化に適応している平均回路２２、前記閾値に適応している閾値回路２３、電力コンバータのフィーチャに適応している電力コンバータ１３及びランプのフィーチャに適応しているランプ１４を制御することができる。更には、第１の回路１及び前記電力コンバータ１３は、自身の機能を適応化するための情報を交換することもできる。最後に、前記第２の出力信号は、前記動作している調光器が存在する場合、この動作している調光器の１つ以上の特性を更に規定することができる。この第２の出力信号は、前記電力コンバータのフィーチャ又は他のフィーチャを適応化するために電力コンバータ１３に、及び前記ランプのフィーチャ又は他のフィーチャを適応化するためにランプ１４に更に供給されることができる。
【００４１】
図２には、第１の回路１の実施例が示されている。第１の回路１は、結合１２に接続されている第１の入力３１、３２と、前記周波数において信号を生成するように配されている生成器に接続されている第２の入力４１、４２と、前記第１の出力信号又はフィルタリングされた第１の出力信号を供給するための出力４３、４２とを有する。第１の回路１は、更にトランス３４を有することができる。トランス３４の一次巻線は、第１のコンデンサ３３を介して第１の入力３１、３２に結合されている。トランス３４の二次巻線は、第１の抵抗器４６、第２のコンデンサ４５及びバッファ４４の第１の直列接続を介して第２の入力４１、４２に結合されている。前記二次巻線は、更に、第２の抵抗器４７及び第３のコンデンサ４８の第２の直列接続を有するネットワーク４７、４８に結合されている。前記第２の直列接続は、前記二次巻線と並列に結合されており、出力４３、４２の端子は第３のコンデンサ４８と並列に結合されている。
【００４２】
図２に示されている実施例を使用する代わりに、前記電力コンバータ１３が存在する場合、切替えられたモードの電力供給としてしても知られている既存の電力コンバータ１３が、当該本線周波数よりも大きい周波数において信号を供給するのに使用されることができる。この周波数は、例えば、電力コンバータ１３のスイッチング周波数に等しく選択されることができる。好ましくは、電力コンバータ１３のスイッチング周波数は、前記第１の出力信号及び／又は前記第２の出力信号の質を改善するのに適応可能なスイッチング周波数であっても良い。例えば、コントローラ２５からの制御信号によって、又は前記第１又は第２の出力信号によって、電力コンバータ１３の前記スイッチング周波数を適応させることにより、おそらく存在する電磁干渉フィルタの影響は、電磁干渉フィルタが１つの特定のスイッチング周波数を抑制するように通常設計されているという事実により、低減される。前記インピーダンスは、前記本線周波数よりも大きい１つの同じ周波数に関して又は時間間隔当たりの前記本線の周波数よりも各々大きい異なる周波数に関して測定されることができる。
【００４３】
図３において、電力コンバータ１３及びフィルタ１５と組み合わされている検出回路１、２が示されており、図４には、周波数に対するフィルタ１５の減衰が示されている。検出回路１、２は、スイッチング周波数ｆｓｗを前記インピーダンスが測定されるべき周波数ｆｉｍｐまで一時的に低下させ、ｆｉｍｐにおいてｆｓｗにおけるよりも小さい減衰を有するフィルタ１５の影響を低減するために、電力コンバータ１３を制御することができる。検出回路１、２は、更に、フィルタ１５の影響を低減するために、インピーダンスが測定されるべき周波数ｆｉｍｐにおける減衰を一時的に低減させるようにフィルタ１５を制御することができる。このようにして、前記第１の出力信号及び／又は前記第２の出力信号の質が改善されることができる。
【００４４】
図５において、調光器が存在しない場合における、周波数におけるインピーダンス値が、図２に示されたような第１の回路１を介して捕捉される（高周波）信号の信号振幅の形態において示されている（垂直軸：信号振幅、水平軸：左から右までの全期間が２０ミリ秒である、時間）。前記（高周波）信号の振幅は、前記インピーダンスの指標である。第１の回路１（例えば、第１の抵抗器４６の値）に対して選択される構成要素値に基づいて、前記信号振幅は、前記インピーダンスに翻訳されることができる。このインピーダンスの値は安定である。前記（高周波）信号の振幅は安定である（当該プロット線における２つの低周波数の偏差は、当該（高周波）信号から見て無視されるべきである）からである。
【００４５】
図６には、調光器が存在するが、スイッチがオフになっている場合における、周波数におけるインピーダンス値が示されている（垂直軸：信号振幅、水平軸：左から右までの全期間が２０ミリ秒である、時間）。
【００４６】
図７には、周波数のインピーダンス値が示されており、前記インピーダンスの値は、第１の調光器が存在しているという事実により変化している（垂直軸：信号振幅、水平軸：左から右までの全期間が２０ミリ秒である、時間）。
【００４７】
図８には、周波数のインピーダンス値が示されており、前記インピーダンスの値は、第２の調光器が存在しているという事実により変化している（垂直軸：信号振幅、水平軸：左から右までの全期間が２０ミリ秒である、時間）。
【００４８】
明らかに、前記インピーダンスは、本線サイクルの間、即ち前記本線サイクルの各半分の範囲内で変化しており、前記インピーダンス値が平均値よりも低い少なくとも１つの期間と、前記インピーダンス値が前記平均値よりも高い少なくとも１つの期間とが存在する。このことは、第２の回路２により分析される。
【００４９】
第１の回路１（の一部）又は第２の回路２（の一部）のような、検出回路１、２の一部は、ハードウェア、ソフトウェア又は両方の混成により実現されることができる。更に、回路１及び２の各々は、アナログの仕方、デジタルの仕方、又は両方の混成において、少なくとも部分的に機能することができる。
【００５０】
要約すると、ランプ１４を調光するように配されている動作している調光器の存在を検出するための検出回路１、２は、ランプ１４のためのおそらく調光されている供給信号を担持するように配されている結合１２におけるインピーダンスを測定する第１の回路１を有する。第１の回路１は、本線周波数よりも大きい周波数におけるインピーダンスを有する前記測定されたインピーダンスを規定する第１の出力信号を供給する。検出回路１、２は、更に、第１の出力信号を分析する第２の回路２を有する。第２の回路２は、前記動作している調光器が存在するか否かを規定している第２の出力信号を供給する。前記インピーダンスは、時間間隔当たり何回か測定されることができる。前記時間間隔内の或る最小の偏差以上の前記測定されたインピーダンスの変化は、動作している調光器の存在を示すことができる。第２の回路２は、フィルタ２１、平均回路２２、閾値回路２３、比較器２４及びコントローラ２５を有することができる。
【００５１】
本発明は、添付図面及び上述の記載において詳細に説明され記載されたが、このような図例及び説明は、説明的なもの又は例示的なものとみなされるべきであり、限定的なものとみなされるべきではなく、本発明は、開示された実施例に限定されるものではない。開示された実施例に対する他の変更は、添付の図面、本明細書及び添付の特許請求の範囲の研究から、前記請求に記載の発明を実施する際に当業者により理解され遂行されることができる。添付の請求項において、「有する」なる語は他の要素又はステップを排除するものではなく、単数形は複数形を排除するものではない。或る手段が相互に異なる従属クレームにおいて、詳述されるという単なる事実は、これらの手段の組合せが有効に使用されることができないことを示すものではない。添付請求項における如何なる符号も、この範囲を制限するものとしてみなしてはならない。
【図１】
0006301364.tif 000002
【図２】
0006301364.tif 000003
【図３】
0006301364.tif 000004
【図４】
0006301364.tif 000005
【図５】
0006301364.tif 000006
【図６】
0006301364.tif 000007
【図７】
0006301364.tif 000008
【図８】
0006301364.tif 000009